(57)【要約】【課題】  複数の発光体から構成された光源の各発光体の色度を各発光体毎に調整する。【解決手段】  光源調整部６は、光源の各ＬＥＤの色度の調整を行う際に、読取制御部７に読取命令を出し、白基準板の画像データの読み込みを行い、その画像データのＲＧＢバランスを予め設定した目標値に合わせるように光源駆動部８のＰＷＭ制御のピーク電流値を調整する。その調整では、上記予め設定した目標値との差が一定の範囲内になったときの点灯電流値に各ＬＥＤの点灯電流値をそれぞれ調整するようにする。また、上記ＬＥＤとしては、青色ＬＥＤチップと蛍光体とを有してＰＷＭ点灯する白色ＬＥＤがある。さらに、上記ピーク電流値の変更と共にデューティ比も変更するようにすれば、照度を一定に保つことができる。【選択図】        図１
2012151627.tif 000002
【特許請求の範囲】
【請求項１】
複数の発光体から構成された光源と、前記光源から発光された光を原稿に照射し、その反射光を画像データとして読み込む画像読取手段とを備えた画像読取装置において、
前記光源から発光された光を白基準部材に照射し、前記各発光体に対応する反射光の画像データのＲＧＢバランスを予め設定した目標値に基いて前記各発光体の点灯電流値をそれぞれ調整する調整手段を設けたことを特徴とする画像読取装置。
【請求項２】
前記調整手段は、前記光源の各発光体の点灯電流値を変化させながら前記光源から発光された光を白基準部材に照射し、前記各発光体に対応する反射光の画像データのＲＧＢバランスと前記目標値との差が一定の範囲内になったときの点灯電流値に前記各発光体の点灯電流値をそれぞれ調整することを特徴とする請求項１記載の画像読取装置。
【請求項３】
前記各発光体は、青色ＬＥＤチップと蛍光体とを有してＰＷＭ点灯する白色ＬＥＤであり、前記調整手段は、前記各発光体の点灯電流値を調整すると共に、前記各発光体の照度を予め設定した照度目標値に合わせるように点灯のデューティ比を調整することを特徴とする請求項１又は２記載の画像読取装置。
【請求項４】
前記白基準部材は、前記画像読取装置内に配設されていることを特徴とする請求項１乃至３のいずれか一項に記載の画像読取装置。
【請求項５】
前記調整手段は、前記画像読取装置の起動時に前記調整を行うことを特徴とする請求項１乃至４のいずれか一項に記載の画像読取装置。
【請求項６】
前記調整手段は、前記各発光体に対応する反射光の画像データのＲＧＢバランスが前記目標値と一定以上の差異がある場合、前記白基準部材を使用した前記各発光体の点灯電流値の調整を再度繰り返すことを特徴とする請求項１乃至５のいずれか一項に記載の画像読取装置。
【請求項７】
請求項１乃至６のいずれか一項に記載の画像読取装置を備えたことを特徴とする画像形成装置。
【発明の詳細な説明】
【技術分野】
【０００１】
この発明は、用紙に記載された画像を読み取る画像読取装置とその画像読取装置によって読み取った画像データに基づいて画像を形成する画像形成装置に関する。
【背景技術】
【０００２】
近年、用紙に記載された画像を読み取る機能を備えた画像読取装置（例えば、ファクシミリ装置、プリンタ、複写機、複合機を含む画像処理装置）の光源として高効率である白色ＬＥＤが用いられている。
上記白色ＬＥＤには、青色発光素子に黄色（または赤色と緑色）蛍光体を塗布し、青色発光素子と蛍光体の発光波長の光を足し合わせることによって白色光の発光を実現しているものがある。
【０００３】
このような白色ＬＥＤでは、図７の白色ＬＥＤの分光特性に関する図に示すように、青色発光素子自体の光度と蛍光体の塗布量のバランスによって色度が大きく変わるので、白色ＬＥＤを量産すると白色ＬＥＤ毎に色度にばらつきが発生するという問題があった。
また、白色ＬＥＤは点灯電流値を変化させると、青色ＬＥＤチップの光度が変化するため、図８の白色ＬＥＤの駆動電流値と色度の関係図に示すように、電流値が増加すると青色側の光になり、電流値が減少すると黄色側の光となり、色度が変化する。
【０００４】
ＬＥＤは色度毎に色度ランクで分類される。
もし、白色ＬＥＤの色度ランクを選定せずに画像読取装置に使用した場合、白色ＬＥＤの個体毎の読取画像の色度が変わってしまう。また、画像読取装置の光源を複数の白色ＬＥＤで構成している場合は画像の主走査方向に色度ムラが生じてしまう。
【０００５】
そこで、色度ランクが同一の白色ＬＥＤを用いれば、色度のばらつきを抑制することができる。
しかし、色度ランクが同一の白色ＬＥＤを大量に使用すると、生産した白色ＬＥＤの一部しか使用できないため、画像読取装置や光源の製造コストが高くなるという問題が生じる。
そこで、光源として２種類の色度ランクのＬＥＤを組み合わせ、２種類のＬＥＤの光量の割合を変化させて色度を調整する手法が提案されている。
【０００６】
従来、所望の色度から外れた２種類の色度ランクの白色ＬＥＤを使用した光源を用いて、その各白色ＬＥＤの光量（点灯デューティ比）の割合を変化させて色度を調整することにより、光源の白色ＬＥＤ光源の色度ムラを低減させる画像読取装置（例えば、特許文献１参照）があった。
また、光源として２種類の色度ランクの白色ＬＥＤを交互に配置し、基準部材を読み取った結果を基に色度ムラが減少するように各白色ＬＥＤの光量（点灯電流値）をそれぞれ調整することにより、光源の白色ＬＥＤ光源の色度ムラを低減させる画像読取装置（例えば、特許文献２参照）があった。
【発明の概要】
【発明が解決しようとする課題】
【０００７】
しかしながら、上述した従来の画像読取装置のように、光源として２種類の色度ランクの白色ＬＥＤを組み合わせ、２種類のＬＥＤの光量の割合を変化させて色度を調整するのでは、２種類の色度の白色ＬＥＤを使用するため、画像読取装置や光源の設計の自由度が少なくなり、画像読取装置や光源の製造時に２種類の色度ランクの白色ＬＥＤを管理して部品を実装する必要があるので製造作業が繁雑になるという問題があった。
この発明は上記の点に鑑みてなされたものであり、複数の発光体から構成された光源の各発光体の色度を各発光体毎に調整することを目的とする。
【課題を解決するための手段】
【０００８】
この発明は上記の目的を達成するため、複数の発光体から構成された光源と、上記光源から発光された光を原稿に照射し、その反射光を画像データとして読み込む画像読取手段とを備えた画像読取装置において、上記光源から発光された光を白基準部材に照射し、上記各発光体に対応する反射光の画像データのＲＧＢバランスを予め設定した目標値に基いて上記各発光体の点灯電流値をそれぞれ調整する調整手段を設けた画像読取装置を提供する。
【０００９】
また、上記のような画像読取装置において、上記調整手段が、上記光源の各発光体の点灯電流値を変化させながら上記光源から発光された光を白基準部材に照射し、上記各発光体に対応する反射光の画像データのＲＧＢバランスと上記目標値との差が一定の範囲内になったときの点灯電流値に上記各発光体の点灯電流値をそれぞれ調整するようにするとよい。
【００１０】
さらに、上記のような画像読取装置において、上記各発光体が、青色ＬＥＤチップと蛍光体とを有してＰＷＭ点灯する白色ＬＥＤであり、上記調整手段が、上記各発光体の点灯電流値を調整すると共に、上記各発光体の照度を予め設定した照度目標値に合わせるように点灯のデューティ比を調整するようにするとよい。
また、上記のような画像読取装置において、上記白基準部材が、上記画像読取装置内に配設されているとよい。
【００１１】
さらに、上記のような画像読取装置において、上記調整手段が、上記画像読取装置の起動時に上記調整を行うようにするとよい。
また、上記のような画像読取装置において、上記調整手段が、上記各発光体に対応する反射光の画像データのＲＧＢバランスが上記目標値と一定以上の差異がある場合、上記白基準部材を使用した上記各発光体の点灯電流値の調整を再度繰り返すようにするとよい。
さらにまた、上記のような画像読取装置を備えた画像形成装置も提供する。
【発明の効果】
【００１２】
この発明による画像読取装置と画像形成装置は、複数の発光体から構成された光源の各発光体の色度を各発光体毎に調整することができる。
【図面の簡単な説明】
【００１３】
【図１】図４に示す複写機の読取ユニットの制御部における光源調整制御に係る機能部を示すブロック図である。
【図２】図４に示す複写機の読取ユニットの制御部のデータ処理に係る構成例を示すブロック図である。
【００１４】
【図３】図４に示す複写機の光源の構成を示す図である。
【図４】この発明の一実施例である複写機の機構部を示す概略構成図である。
【図５】図４に示す複写機における各ＬＥＤのピーク電流値の調整制御処理を示すフローチャート図である。
【００１５】
【図６】図４に示す複写機における画像読取動作毎にＲＧＢバランスを確認して調整する処理を示すフローチャート図である。
【図７】白色ＬＥＤの分光特性に関する図である。
【図８】白色ＬＥＤの駆動電流値と色度の関係図である。
【発明を実施するための形態】
【００１６】
以下、この発明を実施するための形態を図面に基づいて具体的に説明する。
図４は、この発明の一実施例である複写機１００の機構部を示す概略構成図である。
この複写機１００は、コピー機能にプリンタ機能が一体となって構成されたものであり、読取ユニット（スキャナ）及びプリンタを構成する複写機１００の本体の上部に、自動原稿給送装置（以下「ＡＤＦ」という）１０を搭載している。また、手前側上面に図示を省略した操作部を備えている。
【００１７】
ＡＤＦ１０は、複写機１００の本体の上面に設けられた読取ユニット２０のコンタクトガラス２１に対して開閉するように、複写機１００の本体に図示を省略したヒンジ等を介して連結されている。
【００１８】
ＡＤＦ１０の原稿トレイ（原稿載置台）１１に画像面を上にして複数枚の原稿の束（原稿束）が置かれ、例えば、操作部上のプリントキーが押下されると、図示を省略したコントローラは、ＡＤＦ１０の図示を省略した給紙モータを正転駆動させて給送ローラ１２を、同図正面に対して時計方向に回転させる。また、図示を省略した搬送ベルトモータを回転させて給送ベルト１３を同図正面に対して反時計方向（図中矢示Ｂ方向）に回転させる。
【００１９】
これにより、原稿束から最上位に位置する原稿が給紙されてコンタクトガラス２１に向かって搬送される。
この原稿の先端が原稿セット検知センサ１６によって検知されると、コントローラは原稿セット検知センサ１６からの出力信号に基づいて給紙モータを逆転駆動させる。
これにより、後続する原稿が進入するのを防止して分離されないようにしている。
【００２０】
また、コントローラは、原稿セット検知センサ１６が原稿の後端を検知したとき、この検知時点からの搬送ベルトモータの回転パルス数を計数し、その回転パルス数が所定値に達したときに、搬送ベルトモータの駆動を停止して給送ベルト１３を停止することにより、原稿をコンタクトガラス２１の読取位置に停止させる。
原稿がコンタクトガラス２１上の読取位置に搬送されて停止すると、読取ユニット２０によって原稿の画像を読み取り、その後、その原稿を給送ベルト１３と排送ローラ１４によって排出口Ａ（原稿反転排出時の排出口）に排出する。
【００２１】
また、コントローラは、原稿セット検知センサ１６が原稿トレイ１１上に次の原稿があることを検知した場合は、原稿セット検知センサ１６によって前の原稿の後端が検知された時点で、給紙モータを再び駆動し、後続する原稿を上述したように分離してコンタクトガラス２１に向かって搬送し、この原稿が原稿セット検知センサ１６によって検知された時点からの給紙モータの回転パルス数が所定パルス数に到達したときに、給紙モータを停止させて次原稿を先出し待機させる。
【００２２】
そして、原稿がコンタクトガラス２１の読取位置に停止したとき、読取ユニット２０によって原稿の画像を読み取り、その後、その原稿を給送ベルト１３と排送ローラ１４によって排出口Ａ（原稿反転排出時の排出口）に排出する。
【００２３】
次に、読取ユニット２０によって原稿の画像を読み取り、その読み取った原稿の画像データに対応する静電潜像を感光体ドラム４１の表面に形成するまでの動作について説明する。
なお、静電潜像とは、画像データを光情報に変換して、感光体ドラム４１の表面（帯電器によって帯電された面）にレーザビームにより書き込むことにより生じる電位分布のことである。
【００２４】
読取ユニット２０は、原稿を載置するコンタクトガラス２１と読み取り光学系等による各種の歪みを補正するための白基準板２９と光学走査系とによって構成されており、その光学走査系は、原稿露光用の光源（露光ランプ）１，レンズ２４，ＣＣＤリニアイメージセンサ（以下「ＣＣＤ」と略称する）２５，第１ミラー２６，第２ミラー２７，及び第３ミラー２８等で構成されている。
また、読取ユニット２０の全体の制御を司るＣＰＵ、ＲＯＭ及びＲＡＭを含むマイクロコンピュータで実現される制御部９も備えている。
【００２５】
光源１と第１ミラー２６は、第１キャリッジ２２上に固定されていて、第２ミラー２７及び第３ミラー２８は、第２キャリッジ２３上に固定されている。
原稿の画像を読み取るときには、光路長が変わらないように、その第１キャリッジ２２と第２キャリッジ２３とが２対１の相対速度で図中矢示Ｃ方向の副走査方向へ機械的に走査される。光学走査系は、図示を省略したスキャナ駆動モータ等の駆動部によって駆動される。
【００２６】
また、シートスルーによる原稿読み取りでは、第１キャリッジ２２及び第２キャリッジ２３がシートスルー読み取り用スリットＳの下へ移動後、ＡＤＦ１０に設置された原稿をローラ１５によって図中矢示Ｂ方向へガイドすることで、シートスルー読み取り用スリットＳの位置において読み取っていく。
この読取ユニット２０は、原稿の画像を光学的に読み取って画像データ（画像信号ともいう）に変換する。
【００２７】
すなわち、光学走査系の光源１によって原稿の画像面を照明し、その画像面からの反射光像を第１ミラー２６，第２ミラー２７，第３ミラー２８，レンズ２４を介してＣＣＤ２５の受光面に結像させ、そのＣＣＤ２５によって、画像データに変換する。
このとき、レンズ２４及びＣＣＤ２５を図中の正面に対して左右方向に移動させることにより、コピーされる画像の倍率が変わるようになっている。つまり、レンズ２４及びＣＣＤ２５は、左右方向の位置が指定された倍率に対応して設定されるようになっている。
【００２８】
次に、書込ユニット３０は、レーザ出力ユニット３１，結像レンズ３２，ミラー３３等で構成されている。
レーザ出力ユニット３１の内部には、レーザ光源であるレーザダイオード及びモータにより高速で定速回転する図示を省略したポリゴンミラー（回転多面鏡）が備わっている。
そのレーザ出力ユニット３１からレーザビームが照射されると、定速回転するポリゴンミラーで偏向され、結像レンズ３２を通ってミラー３３で折り返され、感光体ドラム４１の帯電面に集光されて結像される。
【００２９】
この偏向されたレーザビームは、感光体ドラム４１が回転する方向と直交する方向（主走査方向）に露光走査され、図示を省略した画像処理部のセレクタにより出力された画像データをライン単位で書き込み記録して主走査が行われる。
この主走査を感光体ドラム４１の回転速度と走査密度（記録密度）に対応する所定の周期で繰り返すことにより、感光体ドラム４１の帯電面に静電潜像が形成される。
【００３０】
なお、図示を省略するが、感光体ドラム４１の一端近傍のレーザビームが照射される位置にビームセンサが配置されていて、ここから主走査同期信号が発生するようになっている。この主走査同期信号に基づいて、主走査方向の画像記録タイミングの制御と、画像信号の入出力を行うための制御信号を生成する。
感光体ドラム４１の静電潜像が現像ユニット４０を通過することにより、感光体ドラム４１上にトナー画像が形成される。
【００３１】
一方、画像を形成するための転写紙（用紙）は、第１給紙トレイ５１，第２給紙トレイ５２又は第３給紙トレイ５３に積載されていて、それぞれ、第１給紙装置５４，第２給紙装置５５，第３給紙装置５６によって給紙され、縦搬送ユニット５０によって感光体ドラム４１に当接する位置まで搬送される。
なお、実際には各給紙トレイ５１〜５３のうちのいずれか１つが選択され、そこから転写紙が給紙される。
【００３２】
そして、給紙された転写紙を搬送ベルト（転写ベルト）４２により感光体ドラム４１の回転と等速で搬送しながらその一方の第１面に感光体ドラム４１上のトナー画像を転写し、さらに、そのトナー画像を定着ユニット４３により定着して、機外の排紙トレイ５７に排出する。
【００３３】
また、転写紙の両面にトナー画像を形成する場合には、第１面にトナー画像が形成された転写紙を排紙トレイ５７側に搬送せず、図示を省略した分岐爪によって経路を切り替え、一旦両面搬送パス４５に搬送する。その後、その転写紙を再び給紙して、感光体ドラム４１に形成されたトナー画像を他方の第２面に転写し、その後、定着ユニット４３によりそのトナー画像を定着した後、排紙トレイ５７に排出する。
【００３４】
なお、排紙ユニット４４は、ステープルモードを行わない場合は、排紙トレイ５７に転写紙を排紙する。
このようにして、この複写機１００は、転写紙の両面に画像を形成する場合には両面搬送パス４５を動作させるようになっている。
【００３５】
図２は、図４に示した読取ユニット２０の制御部のデータ処理に係る構成例を示すブロック図である。
読取ユニット２０では、ＣＣＤ２５で光電変換されたアナログ画像データをアナログ処理回路部６０へ出力する。
アナログ処理回路部６０では、アナログ画像データに対してサンプルホールド処理，黒レベル補正などの各種画像処理を施したのち、Ａ／Ｄ変換回路部６１へ出力する。
【００３６】
Ａ／Ｄ変換回路部６１では、入力されたアナログ画像データをデジタル画像データに変換し、さらにＬＶＤＳインタフェース（図中「ＬＶＤＳ」と略して記載）６２を介して後段（画像処理部等）へ出力する。
この読取ユニット２０内のＣＣＤ２５，アナログ処理回路部６０，Ａ／Ｄ変換回路部６１，図示を省略したステッピングモータ及び光源の各種タイミングクロックは、公知なので図示を省略したタイミングクロック生成部において生成して供給される。
なお、このタイミングクロック生成部、あるいは複写機１００内のコントローラが、光源１の駆動信号も生成している。
【００３７】
図３は、図４に示した光源１の構成を示す図である。
光源１は、青色ＬＥＤチップと蛍光体とを有してＰＷＭ点灯する白色ＬＥＤであるＬＥＤ２とＬＥＤ３の２個のＬＥＤを備えており、各ＬＥＤ２、３が発光した光は導光体４に入射し、拡散部材５によって拡散されてＣの方向に照射される光となる。この各ＬＥＤ２、３が発光体に相当する。
このＬＥＤ２とＬＥＤ３の色度が異なった場合、照射光が主走査方向Ｄに色度ムラが発生する。そこで、この実施例の複写機ではＬＥＤ２とＬＥＤ３の各色度をそれぞれ調整して照射光が主走査方向Ｄに色度ムラが発生しないようにする。
【００３８】
それには、白基準板（「基準白板」「白基準部材」とも呼ぶ）２９を読み取った画像データのＲＧＢバランスを所定の目標値に合わせるように各ＬＥＤ２、３の点灯電流値を調整する制御を行う。
【００３９】
図１は、図４に示した複写機１００の読取ユニット２０の制御部９における光源調整制御に係る機能部を示すブロック図である。
光源駆動部８は、光源１を構成している各ＬＥＤ２、３をＰＷＭ制御によって点灯させることができ、各ＬＥＤ２、３毎にピーク電流値およびデューティ比を変更可能である。各ＬＥＤ２、３に対するＰＷＭ制御のピーク電流値やデューティ比の値は光源調整部６によって設定する。
【００４０】
光源駆動部８は、画像の読み取り時には読取制御部７からの信号によって光源１の各ＬＥＤ２、３を点灯させる。
光源調整部６は、光源１の各ＬＥＤ２、３の色度の調整を行う際に、読取制御部７に読取命令を出し、図４の白基準板２９の画像データの読み込みを行い、その画像データのＲＧＢバランスを予め設定した目標値に合わせるように光源駆動部８のＰＷＭ制御のピーク電流値を調整する。また、そのピーク電流値の変更と共にデューティ比も変更することで照度を一定に保つ。すなわち、この光源調整部６が発明の調整手段の機能を果たす。
【００４１】
次に、この複写機１００における各ＬＥＤ２、３のピーク電流値の調整制御処理について説明する。
図５は、複写機１００における各ＬＥＤ２、３のピーク電流値の調整制御処理を示すフローチャート図である。
まず、図１の光源調整部６は各ＬＥＤ２、３のＰＷＭ制御のピーク電流値とデューティ比を初期値に設定し（Ｓ１）、図２のＣＣＤ２５によって図４の基準白板２９の画像を読み取る（Ｓ２）。このとき、初期値として、複写機１００の設計で決められている値や、前回調整値を使用する。
【００４２】
そして、図１の光源調整部６は、読み取った各画像データのうち、主走査方向の所定範囲の平均値を計算し、ＲＧＢバランスを計算する（Ｓ３）。ここで、所定範囲は調整するＬＥＤによって変更する。
例えば、図３に示した主走査方向Ｄの左端に配置されたＬＥＤ２の場合は白基準板２９の画像の左端の一定範囲の平均値のＲＧＢバランスを計算し、右端に配置されたＬＥＤ３の場合は白基準板２９の画像の右端の一定範囲の平均値のＲＧＢバランスを計算する。
【００４３】
次に、図１の光源調整部６は、上記計算したＲＧＢバランスが予め設定した目標値の範囲内に入っているか否かを判断する（Ｓ４）。この判断でＲＧＢバランスが目標値の範囲内に入っていた場合（Ｓ４でＹの場合）は、この調整制御処理を終了し、ＲＧＢバランスが目標値の範囲内に入っていなかった場合（Ｓ４でＮの場合）、すなわち、範囲外だった場合は、設定可能な全てのピーク電流値を試行したか否かを判断する（Ｓ５）。この判断で、設定可能な全てのピーク電流値を試行した場合（Ｓ５でＹの場合）、この調整制御処理を終了し、設定可能な全てのピーク電流値を試行していない場合（Ｓ５でＮの場合）、この調整制御処理を続行する。
【００４４】
この調整制御処理を続行すると、図１の光源調整部６は、各ＬＥＤ２、３のピーク電流値を変更（増加もしくは減少させる変更を）し（Ｓ７）、さらに、図１の光源調整部６は、各ＬＥＤ２、３のピーク電流値の変更後も照度が予め設定した一定の目標値である照度目標値となるようにＰＷＭ駆動のデューティ比も変更する（Ｓ６）。例えば、ピーク電流値を増加させた場合、デューティ比が同一であると照度が高くなるため、照度が一定となるようにＰＷＭ駆動のデューティ比を減少させる。
【００４５】
そして、Ｓ２へ戻って、再び図４の白基準板２９の画像を読み取ってＲＧＢバランスの確認を行っていく。このように、ピーク電流値を変化させることによって白色ＬＥＤの色度が変化するため、白基準板２９を読み取った画像のＲＧＢバランスも変化する。そして、ＲＧＢバランスが目標値の範囲内となるか、設定可能なすべてのピーク電流値を試行するまで、調整を行う。
【００４６】
なお、上述した調整制御処理は、各ＬＥＤ２、３について、調整する一方のＬＥＤのみを点灯させて順番に調整を行ってもよいし、すべてのＬＥＤ２、３を同時に点灯させて読み取った画像から、それぞれのＬＥＤ２、３に対応する箇所の画像データに基づいてそれぞれのＲＧＢバランスを確認することによって、各ＬＥＤ２、３を同時に平行して調整するようにしてもよい。
【００４７】
また、上述の光源１の各ＬＥＤ２、３の調整は、工場にて複写機１００の製造後の出荷前に上述のようにして行うことで、製品毎に各ＬＥＤ２、３が目標値の色度となるようにピーク電流値を設定できる。
さらに、光源１の故障などによって交換を行った後に、交換後の光源１の各ＬＥＤ２、３の調整を上述のようにして行うことで、交換後も最適な色度となるようにピーク電流値を設定できる。
【００４８】
さらにまた、複写機１００がユーザに届けられた後は、複写機１００の起動により、読取ユニット２０の起動時に上述のような調整を行うことによって、原稿の画像の読取時には常に光源１に対して最適な電流値を設定でき、原稿から読み取った画像に色度ムラが発生しないようにすることができる。
【００４９】
次に、上述の調整は、画像読取動作（スキャン動作）毎に各ＬＥＤ２、３のＲＧＢバランスを確認することで、熱などの条件によって色度が変化した場合でも、最適な色度になるような電流値に再調整することができる。
図６は、画像読取動作毎にＲＧＢバランスを確認して調整する処理を示すフローチャート図である。
【００５０】
複写機１００では、スキャン動作では画像データの補正のために、原稿画像の読み取り前に、図４の白基準板２９の画像を読み取る（Ｓ１１）。そこで、スキャン動作で読み取った白基準板２９の画像データからＲＧＢバランスを計算し（Ｓ１２）、そのＲＧＢバランスが目標値の範囲内に入っているか否かを判断し（Ｓ１３）、入っている場合は、この処理を終了して、原稿画像の読み取りに移行し、ＲＧＢバランスが目標値の範囲内に入っていない場合、再調整（図５に示した調整）を行い（Ｓ１４）、この処理を終了して、原稿画像の読み取りに移行する。こうして、原稿読み取り前には常に最適な電流値に設定し直して読み取り画像に色度ムラが発生しないようにすることができる。
【００５１】
なお、上述の実施例では、白基準板から読み取った画像データに基づいて光源１の各ＬＥＤの色度調整を行ったが、白色原稿等の基準原稿の画像を読み取って、その画像データに基づいて上述と同様にして光源１の各ＬＥＤの色度調整を行うこともできる。
また、上述した光源１の各ＬＥＤの調整制御を、ファクシミリ装置、画像読取機能を備えたプリンタ、複合機等の他の画像読取装置や画像形成装置においても上述と同様にして実施することができる。
【００５２】
この複写機１００は、白基準板を読み取った結果に基づいて、複数のＬＥＤ毎の色度（ＲＧＢバランス）が目標値に近くなるような点灯電流値に調整するので、原稿読取時の各ＬＥＤ毎の色度ムラを解消することができる。
また、各ＬＥＤの色度の調整と共に、照度も調整するので、照度が原稿読取時に最適な値になるようにすることができる。
【００５３】
さらに、複写機１００の読取ユニット２０に既に設けられている白基準板２９を利用するので、新たな部材を設けることなく、各ＬＥＤ２、３の調整を行うことができる。
また、複写機１００の起動時に、光源１の各ＬＥＤ２、３が最適な色度となるように調整を行うので、原稿の読み取りの際に読取画像の色度が変わってしまうような不具合をなくすことができる。
さらに、画像の読み取りに伴う熱などの条件の変化によって色度が変化した場合も、再調整を行うことができる。
【産業上の利用可能性】
【００５４】
この発明による画像読取装置と画像形成装置は、ファクシミリ装置、プリンタ、複写機、複合機を含む画像に光を照射して画像を読み取る装置全般に適用することができる。
【符号の説明】
【００５５】
１：光源    ２、３：ＬＥＤ    ４：導光体    ５：拡散部材    ６：光源調整部    ７：読取制御部    ８：光源駆動部    ９：制御部    １０：ＡＤＦ    １１：原稿トレイ    １２：給送ローラ    １３：給送ベルト    １４：排送ローラ    １５：ローラ    １６：原稿セット検知センサ    ２０：読取ユニット    ２１：コンタクトガラス    ２２：第１キャリッジ    ２３：第２キャリッジ    ２４：レンズ    ２５：ＣＣＤリニアイメージセンサ    ２６：第１ミラー    ２７：第２ミラー    ２８：第３ミラー    ２９：白基準板    ３０：書込ユニット    ３１：レーザ出力ユニット    ３２：結像レンズ    ３３：ミラー    ４０：現像ユニット    ４１：感光体ドラム    ４２：搬送ベルト（転写ベルト）    ４３：定着ユニット    ４４：排紙ユニット    ４５：両面搬送パス    ５０：縦搬送ユニット    ５１：第１給紙トレイ    ５２：第２給紙トレイ    ５３：第３給紙トレイ    ５４：第１給紙装置    ５５：第２給紙装置    ５６：第３給紙装置    ５７：排紙トレイ    ６０：アナログ処理回路部    ６１：Ａ／Ｄ変換回路部    ６２：ＬＶＤＳインタフェース
【先行技術文献】
【特許文献】
【００５６】
【特許文献１】特許第４５１１６３４号公報
【特許文献２】特開２００８−１７２３２７号公報
【図１】
2012151627.tif 000003
【図２】
2012151627.tif 000004
【図３】
2012151627.tif 000005
【図４】
2012151627.tif 000006
【図５】
2012151627.tif 000007
【図６】
2012151627.tif 000008
【図７】
2012151627.tif 000009
【図８】
2012151627.tif 000010